(57)【要約】      （修正有）【課題】対象魚の大小にかかわらず、釣針と錘とを自在に選択して組み合わせ、簡易な動作で変更可能なジグヘッドを提供する。【解決手段】釣り針30と、その釣り針30と一体化させる錘10とを備える。釣り針30は、胴部34に連続させてＵ字形をなす屈曲部32、その屈曲部32は、Ｕ字形に屈曲させて形成した釣り糸係止部31と、その釣り糸係止部31に対して前記の胴部34とは反対側に位置してＵ字形にて囲まれた領域から外側へ屈曲した引っ掛け部33と、を備える。錘10には、前記の屈曲部32を圧入させる貫通孔11と、引っ掛け部33を収めて固定する引っ掛け収納部12と、を備える。【選択図】図１
2014193129.tif 000002
【特許請求の範囲】
【請求項１】
釣り針と、その釣り針と一体化させる錘とを備えたジグヘッドであって、
前記の釣り針は、その釣り針における胴部に連続させてＵ字形をなす屈曲部を備え、
その屈曲部は、Ｕ字形に屈曲させて形成した釣り糸係止部と、
その釣り糸係止部に対して前記の胴部とは反対側に位置する引っ掛け部と、
を備え、
前記の錘には、前記の屈曲部を圧入させる貫通孔と、
前記の引っ掛け部を収めて固定する引っ掛け収納部と、を備え、
前記の貫通孔の寸法は、前記の屈曲部におけるＵ字形の幅を弾性変形させて狭めることによって釣り糸係止部を貫通させることができる大きさであり、
前記の引っ掛け収納部に前記の引っ掛け部が収まった状態において前記の釣り糸係止部が釣り糸を結ぶのに適した長さが突出するように形成したジグヘッド。
【請求項２】
前記の屈曲部は、前記の釣り針における胴部から針先側へＬ字形をなすように折り曲げることで形成し、
前記の引っ掛け部は、その先端が胴部の延長線上よりも針先と反対側へ位置するように形成した請求項１に記載のジグヘッド。
【請求項３】
前記の錘の外表面と貫通孔との間には、釣り針の釣り糸係止部に結ばれた釣り糸を通過させることによって錘を外すためのスリットを備えることとした請求項１または請求項２のいずれかに記載のジグヘッド。
【請求項４】
釣り針と一体化させる錘を備えたジグヘッドに用いる釣り針であって、
その釣り針における胴部に連続させてＵ字形をなす屈曲部を備えるとともに、
その屈曲部は、Ｕ字形に屈曲させて形成した釣り糸係止部と、  その釣り糸係止部に対して前記の胴部とは反対側に位置する引っ掛け部と、を備えた釣り針。
【請求項５】
前記の屈曲部は、前記の胴部から針先側へＬ字形をなすように折り曲げることで形成し、
前記の引っ掛け部は、その先端が胴部の延長線上よりも針先と反対側へ位置するように形成した請求項４に記載の釣り針。
【請求項６】
釣り針と一体化させる錘を備えたジグヘッドに用いる錘であって、
前記の釣り針は、その釣り針における胴部に連続させてＵ字形をなす屈曲部を備え、  その屈曲部は、Ｕ字形に屈曲させて形成した釣り糸係止部と、  その釣り糸係止部に対して前記の胴部とは反対側に位置してＵ字形にて囲まれた領域から外側へ屈曲した引っ掛け部と、を備え、
前記の錘には、前記の屈曲部を圧入させる貫通孔と、  前記の引っ掛け部を収めて固定する引っ掛け収納部と、を備えた錘。
【請求項７】
錘の外表面と貫通孔との間には、釣り針の釣り糸係止部に結ばれた釣り糸を通過させることによって錘を外すためのスリットを備えた請求項６に記載の錘。
【発明の詳細な説明】
【技術分野】
【０００１】
本発明は、シンカーおよび釣り針の組み合わせを自在に、素早く交換可能とするシンカー、シンカー用釣り針、およびシンカー付き釣り針に関する。
【背景技術】
【０００２】
擬似餌（「ルアー」あるいは「ワーム」）または天然餌を釣針に装着して釣りをする場合、その釣針に錘を組み合わせたジグヘッド（Jig head）、テンヤ、カブラ（鏑）といった釣り用具が採用される。
【０００３】
釣針に錘を組み合わせた錘付き釣針は、例えば、特許文献１あるいは特許文献２に記載の技術内容のものが知られている。
特許文献１に記載されたルアー用ジグヘッドは、釣針(2)と錘(3)とキーパー(4)と釣糸結束リング(5)とからなり、これら４つの部材を組み合わせて一体化して構成される。  釣果向上のために、当該ルアー用ジグヘッドにおける釣針を除いた部分に塗装を施す際、塗装の作業性を図るべく、４つの部材に分割しておき、塗装後に、それら４つの部材を組み合わせ、接着剤などにより、一体的に固着している。
【０００４】
特許文献３には、釣針と錘とを着脱自在に構成して、釣りの対象となる各種ターゲットに応じて、釣針および錘の相互を選択し、その組み合わせを自在とした着脱可能な錘付き釣針が記載されている。  具体的には、錘本体(10)と、錘本体(10)に取り付け取り外し可能に設けられた取着部材(20)と、錘本体(10)と取着部材(20)との間にチモト(31)が挟まれて固定されることで取り付けられる釣針(30)と、を具備した構成としている。
【先行技術文献】
【特許文献】
【０００５】
【特許文献１】特開平１０−６６４７９号公報
【特許文献２】特開２００１−２２４２８０号公報
【特許文献３】特開２０１１−７８３５３号公報
【発明の概要】
【発明が解決しようとする課題】
【０００６】
特許文献１や２に代表される現状の錘付き釣針は、釣針と錘とに分離することはできないが、  特許文献３に開示されたジグヘッド（錘付き釣針）は、釣針と錘とに分離することができる。
しかし、取着部材(20)としての固定ネジを釣り人が扱える大きさの限界がある。たとえば、タコ釣り用のテンヤくらいの大きさであれば形成可能であるが、釣り針の幅寸法（針先と胴部の距離）が１０ミリメートル以下であるような対象魚が小さい場合のジグヘッドに適しているとは言えない。その釣り針の大きさに対応させて固定ネジを形成した場合、固定ネジが小さすぎて、釣り人の指で緩めたり締めたりすることができないからである。
【０００７】
本発明が解決しようとする課題は、対象魚の大小にかかわらず、釣針と錘とを自在に選択して組み合わせ、簡易な動作で変更可能なジグヘッド、そのジグヘッドに用いる釣り針および錘を提供することにある。
【課題を解決するための手段】
【０００８】
（第一の発明）
第一の発明は、  釣り針(30)と、その釣り針(30)と一体化させる錘(10)とを備えたジグヘッドに係る。
前記の釣り針(30)は、その釣り針(30)における胴部(34)に連続させてＵ字形をなす屈曲部(32)を備え、  その屈曲部(32)は、Ｕ字形に屈曲させて形成した釣り糸係止部(31)と、  その釣り糸係止部(31)に対して前記の胴部(34)とは反対側に位置する引っ掛け部(33)と、を備える。
前記の錘(10)には、前記の屈曲部(32)を圧入させる貫通孔(11)と、  前記の引っ掛け部(33)を収めて固定する引っ掛け収納部(12)と、を備える。
前記の貫通孔(11)の寸法は、前記の屈曲部(32)におけるＵ字形の幅を弾性変形させて狭めることによって釣り糸係止部(31)を貫通させることができる大きさであり、  前記の引っ掛け収納部(12)に前記の引っ掛け部(33)が収まった状態において前記の釣り糸係止部(31)が釣り糸を結ぶのに適した長さが突出するように形成した。  以上のようなジグヘッドである。
【０００９】
（用語説明）
釣り針(30)は、対象魚によって多数の種類が存在する。また、対象魚が同じであっても、針先やそのイケ先の寸法、胴長の寸法、幅寸法などを異ならせた複数の種類が存在する。
錘(10)もまた、対象魚によって多数の種類が存在する。また、対象魚が同じであっても、大きさ、材質、重心の位置などを異ならせた複数の種類が存在する。
引っ掛け部(33)は、引っ掛け部(33)に収まった状態を強固にする形状としていると、より好ましい。たとえば、屈曲部(32)が形成するＵ字形で囲まれた領域から外側へ屈曲させてあると、引っ掛け部(33)との噛み合いによって収まった状態を強固にする。
引っ掛け収納部(12)は、錘(10)と一体で形成する場合に限られず、たとえば引っ掛け部(33)を適正位置へ収めたり、動かないように固定したりするために別部材を用いてもよい。
【００１０】
（作用）
本発明に係る釣り針(30)は、胴長の寸法が大きく、且つチモトを形成していない釣り針の胴部分に対して、屈曲部(32)、釣り糸係止部(31)および引っ掛け部(33)を、屈曲させることで形成する。  一方、本発明に係る錘(10)に対しては、貫通孔(11)および引っ掛け収納部(12)を形成する。
釣り針(30)の屈曲部(32)を釣り人が指などでつまみ、Ｕ字形の幅を弾性変形させて狭めながら錘(10)の貫通孔(11)に圧入させる。そして変形させていた屈曲部(32)を離して押し込む。すると、釣り針(30)の引っ掛け部(33)が錘(10)の引っ掛け収納部(12)へ収まり、固定され、ジグヘッドとして使用できる。このとき、前記の釣り糸係止部(31)が釣り糸を結ぶのに適した長さが突出するので、釣り人は、その釣り糸係止部(31)へ釣り糸を結ぶ。
【００１１】
釣り針(30)または錘(10)のいずれか一方を、異なるものに変更したい場合、釣り人が釣り糸係止部(31)から釣り糸(20)を外す。そして、釣り針(30)の引っ掛け部(33を錘(10)の引っ掛け収納部(12)から外し、屈曲部(32)を貫通孔(11)から引き抜く。そうして分離した釣り針(30)または錘(10)のいずれか一方を交換する。
以上のように、釣針(30)と錘(10)とを自在に選択して組み合わせ、簡単に変更可能である。
【００１２】
（第一の発明のバリエーション１）
第一の発明に係るジグヘッドは、以下のようにも形成できる。
すなわち、前記の屈曲部(32)は、前記の釣り針(30)における胴部(34)から針先(35)側へＬ字形をなすように折り曲げることで形成し、
前記の引っ掛け部(33)は、その先端が胴部(34)の延長線上よりも針先(35)と反対側へ位置するように形成することができる。
【００１３】
引っ掛け部(33)の先端が胴部(34)の延長線上よりも針先(35)と反対側へ位置しているので、針先(35)に掛かった対象魚が引っ張る力の方向と、釣り糸係止部(31)に結ばれた釣り糸(20)が引っ張る方向とがほぼ正反対となる。したがって、錘(10)と釣り針(30)とが分離してしまう可能性はほとんどない。
胴部(34)から針先(35)側へ突出するように前記の胴部(34)を折り曲げて屈曲部(32)を形成しているジグヘッドは、例えばマダイ、タコ、イカなどを対象魚とするテンヤを形成するのに適している（図５（ａ）参照）。
反対に、胴部(34)を釣り糸係止部(31)まで折り曲げずに形成した釣り針(30)を備えるジグヘッドは、対象魚が比較的小さい場合のジグヘッドに適している（図５（ｂ）参照）。
【００１４】
（第一の発明のバリエーション２）
第一の発明に係るジグヘッドは、  前記の錘(10)の外表面と貫通孔(11)との間には、釣り針(30)の釣り糸係止部(31)に結ばれた釣り糸(20)を通過させることによって錘(10)を外すためのスリット(13)を備えることとしてもよい。
そのスリット(13)の幅は、釣り糸(20)の直径と同じかやや大きい程度であり、釣り針(30)の直径よりも必ず小さい。
【００１５】
（作用）
錘(10)を交換したい場合、釣り人は、まず釣り針(30)の引っ掛け部(14)を錘(10)の引っ掛け収納部(12)から外し、屈曲部(32)を貫通孔(11)から引き抜く（図４（ｂ））。
続いて、スリット(13)へ釣り糸(20)を通すことで、釣り針(30)および釣り糸(20)から錘(10)を分離する。そして、異なる錘(10)のスリット(13)を介して、前記の釣り糸(20)における結び目(21)付近を貫通孔(11)へ位置させる。その後、釣り針(30)の引っ掛け部(14)を錘(10)の引っ掛け収納部(12)へ納める。
結び目が付いたままの釣り針(30) から釣り糸(20)を切らずに、錘(10)を交換することができる。
【００１６】
（第二の発明）
第二の発明は、釣り針(30)と一体化させる錘(10)を備えたジグヘッドに用いる釣り針(30)に係る。
前記の釣り針(30)は、その釣り針(30)における胴部(34)に連続させてＵ字形をなす屈曲部(32)を備えるとともに、  その屈曲部(32)は、Ｕ字形に屈曲させて形成した釣り糸係止部(31)と、  その釣り糸係止部(31)に対して前記の胴部(34)とは反対側に位置する引っ掛け部(33)と、を備える。
【００１７】
（第二の発明のバリエーション１）
第二の発明に係る釣り針は、以下のように形成しても良い。
すなわち、前記の屈曲部(32)は、前記の釣り針(30)における胴部(34)から針先(35)側へＬ字形をなすように折り曲げることで形成し、  前記の引っ掛け部(33)は、その先端が胴部(34)の延長線上よりも針先(35)と反対側へ位置するように形成することができる。
換言すれば、胴部(34)を釣り糸係止部(31)まで折り曲げずに前記の屈曲部(32)を形成した釣り針(30)も、第二の発明のバリエーションである。
【００１８】
（第三の発明）
第三の発明は、釣り針(30)と一体化させる錘(10)を備えたジグヘッドに用いる錘(10)に係る。
すなわち、前記の釣り針(30)は、その釣り針(30)における胴部(34)に連続させてＵ字形をなす屈曲部(32)を備え、  その屈曲部(32)は、Ｕ字形に屈曲させて形成した釣り糸係止部(31)と、  その釣り糸係止部(31)に対して前記の胴部(34)とは反対側に位置する引っ掛け部(33)と、を備えている。
前記の錘(10)には、前記の屈曲部(32)を圧入させる貫通孔(11)と、  前記の引っ掛け部(14)を収めて固定する引っ掛け収納部(12)と、を備える。
なお、前記の貫通孔(11)の寸法は、前記の屈曲部(32)におけるＵ字形の幅を弾性変形させて狭めることによって釣り糸係止部(31)を貫通させることができる大きさであり、  前記の引っ掛け収納部(12)に前記の引っ掛け部(33)が収まった状態において前記の釣り糸係止部(31)が釣り糸を結ぶのに適した長さが突出するように形成する。
【００１９】
（第三の発明のバリエーション１）
第三の発明に係る錘は、錘(10)の外表面と貫通孔(11)との間には、釣り針(30)の釣り糸係止部(31)に結ばれた釣り糸(20)を通過させることによって錘(10)を外すためのスリット(13)を備えることとしてもよい。
【発明の効果】
【００２０】
第一の発明によれば、対象魚の大小にかかわらず、釣針と錘とを自在に選択して組み合わせ、簡易な動作で変更可能なジグヘッドを提供することができた。
第二の発明によれば、対象魚の大小にかかわらず、釣針と錘とを自在に選択して組み合わせ、簡易な動作で変更可能なジグヘッドに用いる釣り針を提供することができた。
第三の発明よれば、対象魚の大小にかかわらず、釣針と錘とを自在に選択して組み合わせ、簡易な動作で変更可能なジグヘッド、そのジグヘッドに用いる錘を提供することができた。
【図面の簡単な説明】
【００２１】
【図１】本発明に係る第一の実施形態を示す組立斜視図である。
【図２】本発明に係る第一の実施形態を示す組立断面図である。
【図３】本発明に係る第二の実施形態（スリットを備えたタイプ）を示す組立斜視図である。
【図４】本発明に係る第二の実施形態（スリットを備えたタイプ）を示す組立断面図である。
【図５】本発明に係る第三の実施形態を示す組立断面図である。
【図６】本発明に係る第四の実施形態を示す組立断面図である。
【発明を実施するための形態】
【００２２】
以下、本発明を図面および実施形態に基づいて、更に説明する。ここで使用する図面は、図１から図６である。
なお、第一から第四の実施形態は、発明を実施した場合の形態である。
【００２３】
（図１）
図１に示すのは、釣り針３０、およびその釣り針３０と一体化させる錘１０からなるジグヘッドである。図１（ａ）には、そのジグヘッドに道糸２０を結んだ状態を示し、図1（ｂ）には、組み立てる状態を示している。
前記の釣り針３０は、その釣り針３０における胴部３４に連続させてＵ字形をなす屈曲部３２を備えている。すなわち、釣り針３０における胴部３４から針先３５側へＬ字形をなすように前記の胴部３４を折り曲げることで、屈曲部３２を形成している。そして、屈曲部３２は、Ｕ字形に屈曲させて形成した釣り糸係止部３１と、  その釣り糸係止部３１に対して前記の胴部３４とは反対側に位置してＵ字形にて囲まれた領域から外側へ屈曲した引っ掛け部３３と、を備える。
引っ掛け部３３の先端は、胴部３４の延長線上よりも針先３５と反対側へ位置している。
【００２４】
一方の錘１０は、ほぼ球形をなしており、釣り針３０の屈曲部３２を圧入させる貫通孔１１と、  釣り針３０の引っ掛け部１３を収めて固定する引っ掛け収納部１２と、胴部３４における屈曲部３２側が当接する胴当接部１４（図２（ａ）参照）と、を形成している。
錘１０の貫通孔１１の寸法は、釣り針３０の屈曲部３２におけるＵ字形の幅を弾性変形させて狭めることによって釣り糸係止部３１を貫通させることができる大きさとしている。
また、錘１０の引っ掛け収納部１２に釣り針３０の引っ掛け部３３が収まった状態においては、前記の釣り糸係止部３１が釣り糸を結ぶのに適した長さが突出するように形成している。  以上のようなジグヘッドである。
【００２５】
（図２）
図２に基づいて、前記の錘１０と前記の釣り針３０とから、ジグヘッドを組み立てる手順を説明する。
釣り針３０は、胴長の寸法が大きく、且つチモトを形成していない釣り針の胴部分に対して、屈曲部３２、釣り糸係止部３１および引っ掛け部３３を、屈曲させることで形成してある。  一方、錘１０に対しては、貫通孔１１、引っ掛け収納部１２および胴当接部１４を予め形成してある。
【００２６】
図２（ａ）に示すように、釣り針３０の屈曲部３２を釣り人が指などでつまみ、Ｕ字形の幅を弾性変形させて狭めながら錘１０の貫通孔１１に圧入させる。そして、変形させていた屈曲部３２を離して押し込む。すると、図２（ｂ）および（ｃ）に示すように、胴部３４における屈曲部３２側が胴当接部１４へ当接し、釣り針３０の引っ掛け部３３が錘１０の引っ掛け収納部１２へ収まる。そうして釣り針３０が錘１０に対して固定され、ジグヘッドとして使用できる。このとき、前記の釣り糸係止部３１が釣り糸（道糸）２０を結ぶのに適した長さが突出するので、釣り人は、その釣り糸係止部３１へ釣り糸を結ぶ。
【００２７】
引っ掛け部３３の先端が胴部３４の延長線上よりも針先３５と反対側へ位置しているので、針先３５に掛かった対象魚が引っ張る力の方向と、釣り人が釣り糸２０が引っ張る方向とがほぼ正反対となる。したがって、錘１０と釣り針３０とが分離してしまう可能性はほとんどない。
【００２８】
釣り針３０または錘１０のいずれか一方を、異なるものに変更したい場合、まず、釣り糸係止部３２から釣り糸２０を外す（図示は省略）。そして、釣り針３０の胴部３４辺りをつまんで引っ掛け部３３を弾性変形させ、釣り針３０の引っ掛け部３３を錘１０の引っ掛け収納部１２から外し、屈曲部３２を貫通孔１１から引き抜く。そうして分離した釣り針３０または錘１０のいずれか一方を交換する。
以上のように、釣り針３０と錘１０とを自在に選択して組み合わせ、簡単に変更可能である。
【００２９】
（図３）
続いて、図3に基づいて、第二の実施形態について説明する。
この第二の実施形態に係るジグヘッドは、釣り針３０が第一の実施形態と同じであるが、錘１０が異なる。すなわち、錘１０の貫通孔１１における引っ掛け収納部１２とは反対側には、釣り針３０の釣り糸係止部３１に結ばれた釣り糸２０を外すためのスリット１３を備えている。
このスリット１３は、釣り糸２０を切る（または結び目をほどく）ことなく、錘１０を交換するためのものである。スリット１３の幅は、釣り糸２０の直径と同じかやや大きい程度であり、釣り針３０の直径よりも必ず小さい。
【００３０】
（図４）
図4に基づいて、第二の実施形態に係るジグヘッドから錘３０を外す手順を説明する。
図４（ａ）が、釣りをする場面での使用状態であり、釣り糸２０は、釣り針３０の釣り糸係止部３１に収まっている。
図４（ｂ）に示すように、錘１０を交換したい場合、釣り人は、まず釣り針３０の引っ掛け部１４を錘１０の引っ掛け収納部１２から外し、屈曲部３２を貫通孔１１から引き抜く。続いて、スリット１３へ釣り糸２０を通すことで、釣り針３０および釣り糸２０から錘１０を分離する（図４（ｂ）における想像線）。
【００３１】
次に、図示は省略するが、異なる錘への交換作業をする。すなわち、前記の釣り糸２０における結び目２１付近を錘１０のスリット１３を横切らせることによって貫通孔１１へ位置させる。その後、釣り針３０の引っ掛け部１４を錘１０の引っ掛け収納部１２へ納める。
以上によって、結び目が付いたままの釣り針３０から釣り糸２０を切らずに、錘１０を交換することができる。
【００３２】
（図５）
図５には、第三の実施形態を示している。
この第三の実施形態に係るジグヘッドは、いわゆる「テンヤ」と呼ばれるジグヘッドである。釣り針３０が第一の実施形態と形状は同じであるが、寸法が第一の実施形態に示したものより、大きなサイズとなっている。また、錘１０Ａは、その形状が異なる。
この錘１０Ａは、円錐台形をなしており、先細りする側に釣り針３０の釣り糸係止部３１が位置するような貫通孔１１、引っ掛け収納部１２、胴当接部１４を形成している。
【００３３】
（図６）
図６には、第四の実施形態を示している。
この第四の実施形態に用いる釣り針３０Ａは、第一および第二の実施形態と異なり、胴部３４を折り曲げることなく屈曲部３２を形成している。
また、この錘１０Ｂは、半球形をなしており、その平面側から前記の釣り針３０Ａの屈曲部３２が挿入されるように、貫通孔１１、引っ掛け収納部１２を形成している。第一から第三の実施形態に備えていた胴当接部１４は存在しない。
この実施形態は、小型魚に向いたジグヘッドとなる。
【産業上の利用可能性】
【００３４】
本発明は、釣り具の製造業、釣り具のレンタル業、アウトドアスポーツのインストラクター事業などにおいて、利用可能性を有する。
【符号の説明】
【００３５】
１０；  錘                        １０Ａ；錘（テンヤ）
１０Ｂ；錘
１１；  貫通孔                    １２；  引っ掛け収納部
１３；  割り孔                    １４；  胴当接部
２０；  釣り糸（道糸）
３０；  釣り針                    ３０Ａ；釣り針（ストレートタイプ）
３１；  釣り糸係止部              ３２；  屈曲部
３３；  引っ掛け部                ３４；  胴部
３５：  針先
【図１】
2014193129.tif 000003
【図２】
2014193129.tif 000004
【図３】
2014193129.tif 000005
【図４】
2014193129.tif 000006
【図５】
2014193129.tif 000007
【図６】
2014193129.tif 000008
【手続補正書】
【提出日】平成25年4月1日(2013.4.1)
【手続補正１】
【補正対象書類名】明細書
【補正対象項目名】００３３
【補正方法】変更
【補正の内容】
【００３３】
（図６）
図６には、第四の実施形態を示している。
この第四の実施形態に用いる釣り針３０Ａは、第一および第二の実施形態と異なり、胴部３４を折り曲げることなく屈曲部３２を形成している。
また、この錘１０Ｂは、半球形をなしており、その平面側から前記の釣り針３０Ａの屈曲部３２が挿入されるように、貫通孔１１、引っ掛け収納部１２を形成している。第一から第三の実施形態に備えていた胴当接部１４は存在しない。